(57)【要約】【課題】健康志向は広く私たちの願いです。健康づくりの観点から遊戯感覚で、屈伸運動・ストレッチ運動・反動運動などと跳躍運動をすること、および座って寛ぐことが出来ると言うことを目的としたエアロクッションを提供する。【解決手段】ドーナツ形中空体に適当な圧力の空気を入れて、その上に体を横にして乗って反動を利用することによって、屈伸運動、ストレッチ運動などができる。また上側に跳躍用カバーを付けて緊張することで跳躍運動ができる。周囲がドーナツ形の曲面であるということと堅い支持体がないという観点から比較的安全である。空気圧の反動を受けて遊戯感覚で健康の維持増進を図ることが出来る。また当該製品の輪の中に座ってクッションとして使ってリラックスして休むことが出来る。【選択図】        図３
2004313430.tif 000002
【特許請求の範囲】
【請求項１】
弾力性のあるゴム又は合成樹脂で造型したドーナツ形中空体で、空気注入口を持ち適当な圧力をもつ空気を充填したもので、曲面からの空気圧の反発力を利用して運動することや座ってくつろぐことを目的とした遊具。
【請求項２】
前項のドーナツ形中空体の表面に布などの伸縮性の少ない素材で出来たカバーで覆って、膨張しないように補強して中の空気圧を高めて反発力を高めるようにした補強カバーを付けた遊具。また補強カバーは表面の肌触りをよくする目的と外して洗うことが出来るという目的を兼ねたもの。
【請求項３】
請求項１のドーナツ形中空体の上側に布又は網などの伸縮性の少ない強靭な素材で出来たカバーを張り、外側を通って下側の接点付近までを複数本のひもで緊張して、跳躍運動が出来るようにした跳躍用カバーを付けた遊具。
【発明の詳細な説明】
【０００１】
【発明の属する技術分野】本発明は運動する遊具、又は座るためのクッションとして使う為のエアロクッションに関するものである。
【０００２】
【従来の技術】弾性材と空気圧による反発力を利用するという観点から、従来技術と見られる跳躍遊具としてジャンピングボールがある。（特許文献１参照）
【０００３】
バネを使った跳躍遊具は周りに堅い支持体が必要で、跳躍運動の際に誤って人体が支持体と接触して負傷する可能性がある。この対策の安全という観点から従来技術と見られるホームトランポリン（特許文献２参照）や安全トランポリン（特許文献３参照）がある。
【０００４】
【特許文献１】実開昭５２−４８９５７号公報
【特許文献２】特開２００３−０６２１１９号公報
【特許文献２】特開２００３−０６２１１９号公報
【０００５】
【発明が解決しようとする課題】従来技術の特許文献１では腰掛けた状態でジャンプするが、支点が実質的に点であり不安定である。本発明はドーナツ形中空体に体を横向きの状態に（図７、図８など）乗せて素材の弾性および空気圧の反発力を利用して安定した状態で運動ができるようにすること。
【０００６】
ドーナツ形中空体として公知のタイヤチューブの利用をすることも考えられる。材料の厚みを厚くすると強度は保てるが、コストが高くなる。又、空気圧を高めると必要以上に膨らんで強度の点で問題が有る。請求項１の目的で使うために、これらの観点から安価で強度の保てるものを提供する。
【０００７】
従来技術のバネの反動によるトランポリンでは周りに堅い支持体が必要である。本発明は堅い支持体を設けない構造でジャンプができるので安全度が高い。同様に安全という観点から見ると公開されている従来技術の特許文献２ホームトランポリンや特許文献３の安全トランポリンがある。本発明も比較的安全に跳躍運動もできるものを提供する。
【０００８】
【課題を解決するための手段】本発明はドーナツ形中空体の上に体を横向きに乗せて、支点が二箇所の曲面で支えられている状態で運動するので安定して心地良く遊戯感覚で運動ができる。
【０００９】
ドーナツ形中空体が一定の大きさ以上に膨らまない為の解決手段として図３の様に伸び縮みの少ない布などの素材で出来た補強カバーでドーナツ形中空体の表面を覆う。このことによってドーナツ形中空体は圧力を上げても一定の大きさ以上に膨らまないので反発力を強くすることが出来る。又カバーをすることによってゴムなどの冷たい感覚から暖かい肌触りを得ることが出来ることと、外して洗うことも出来る。
【００１０】
比較的安全に跳躍運動をするための解決手段として図４のように丈夫な布又は網で出来た図６に示す跳躍用カバーでドーナツ形中空体の上面を覆って、ひもで縛って下側でとめる。
【００１１】
【発明の実施の形態】
図１においてＲ１が約３５ｃｍ、Ｒ２が約５０ｃｍ、Ｒ１が約１２０ｃｍ。圧力は利用者のこのみで調節するが、体を横に乗せた状態で２ｃｍから５ｃｍ程度沈む位が良い。運動の例として図７、図８そのほか工夫すると遊戯感覚でいろいろな運動をすることが出来る。
【００１２】
図３のようにドーナツ形中空体１に図５に示す補強カバーを巻きつけて鳩目Ａの穴をひもＡで綴じて緊張して留める。補強カバーの長さはドーナツ形の外側の円周（図１のＲ３×円周率）の長さとし、幅は図１のＲ１の円周より５ｃｍ程度短くして緊張用ひもＡの締め代とする。空気をさらに注ぐとドーナツ形中空体の大きさは変わらないが反発力を強くすることができる。
【００１３】
（前項００１２において）補強カバーとして幅３０ｃｍ程度の帯状の長い布をドーナツ形中空体にらせん状に巻いて、巻き始めと巻き終わりを結んで留めるようにしても良い。あるいは鳩目をひもで綴って留める代わりにファスナーをドーナツ形中空体の外側（図１でＲ３の円周）に来るようにして付けて補強カバーとしても良い。
【００１４】
図４のように図６に示す丈夫な布又は網でできた跳躍用カバーをドーナツ形中空体１の上面を覆う。この時跳躍用カバーの大きさはドーナツ形に接する円（図１でＲ４を直径とする円）よりも半径で５ｃｍ〜１０ｃｍ程度大きくして曲面に接して摩擦力でフィットさせる。ひもＢはそれぞれ１本の繋がったもので、跳躍用カバーの周辺に等間隔で配置された複数の鳩目Ｂの穴に通した状態である。またひもＣは環状になっていて、ひもＢの数だけ等間隔に留め金６をつけておく。ひもＣを下側において、ひもＢをひもＣの周囲の留め金に緊張して図４のように隣同士で留める。ひもＣの長さは十分に緊張出来るように、ドーナツ形に接する円の円周（図１でＲ４×円周率）よりも５ｃｍ〜１０ｃｍ程度短くして下面の接点付近よりすこし内側になるようにする。この状態で必要ならさらに空気を注いで跳躍用カバーの緊張を強くする。
【００１５】
（前項００１４において）跳躍用カバーは材料の有効活用の観点から円形ではなく四角になっていても良い。その時は四角の各辺がドーナツ形に接する円（図１でＲ４を直径とする円）の直径よりも長くなっていること。また、ひもの長さは下側の接点付近に届く長さとする。
【００１６】
【発明の効果】健康志向は広く私たちの願いです。当該製品の上にのって重力とドーナツ形中空体の反発力に体をあずけて自由に運動することによって、エアロビクス、水中運動などに変わる有酸素運動として遊戯感覚で健康増進を計ることが出来る。運動した後、そのまま座ってリラックスすることも出来る。
【００１７】
請求項３のように上側に跳躍用カバーを張ることによって跳躍運動をすることが出来る。周囲に堅い支持体がないことや周囲が弾力のある曲面であることから比較的安全である。この状態で跳躍用カバーを下側になるように裏返すことで跳躍用カバーを張っていない状態の使い方（図７参照）も出来る。
【００１８】
公知の座イスでは寝そべったり座イスが後ろに逃げてしまうことがあるが、当該製品は図９の様にひざの裏と背中にかかる力がつりあっているので安定して座ることが出来る。又ドーナツ形中空体に肱を置いてくつろぐことが出来る。
【００１９】
また空気圧を変えることによって表面の反発力が変わってくるので変わった感覚で使うことが出来る。
【図面の簡単な説明】
【図１】ドーナツ形中空体の側面図
【図２】ドーナツ形中空体の平面図
【図３】ドーナツ形中空体に補強カバーを装着した時のａ−ａ線断面図
【図４】ドーナツ形中空体に跳躍用カバーを装着した時の側面図
【図５】補強カバーの展開図
【図６】跳躍用カバーの展開図
【図７】運動参考図
【図８】跳躍運動参考図
【図９】座った状態の参考図
【符号の説明】
１  ドーナツ形中空体
２  空気注入口
３Ａ  補強カバー
３Ｂ  跳躍用カバー
４Ａ  鳩目Ａ
４Ｂ  鳩目Ｂ
５Ａ  ひもＡ
５Ｂ  ひもＢ
５Ｃ  ひもＣ
６  留め金
【図１】
2004313430.tif 000003
【図２】
2004313430.tif 000004
【図３】
2004313430.tif 000005
【図４】
2004313430.tif 000006
【図５】
2004313430.tif 000007
【図６】
2004313430.tif 000008
【図７】
2004313430.tif 000009
【図８】
2004313430.tif 000010
【図９】
2004313430.tif 000011